(57)【特許請求の範囲】
【請求項１】
無人無線送信機（１）を遠隔制御及び遠隔監視するためのシステムであって、前記送信機（１）は、それぞれ遠隔制御装置（３）を有し、前記遠隔制御装置（３）を介して前記送信機（１）の操作機能が持続的にモニタされ、必要に応じて、中央局（２）から遠隔制御することができるシステムであって、
前記中央局（２）は、公共の又は私的なネットワーク（ＬＡＮ／ＷＡＮ）を介して遠隔制御可能な前記送信機（１）に接続され、具体的には、前記送信機（１）の操作機能がＨＴＴＰプロトコルに従って問合せ及び遠隔制御が可能で、前記中央局（２）のインターネットブラウザ（６）及び前記送信機（１）のインターネットサーバ（５）に対する第１の標準ウェブブラウザ／サーバ接続（６，５）を介して接続されるとともに、ＳＮＭＰプロトコルを用いそのＳＮＭＰエージェント（７）が前記送信機（１）の前記遠隔制御装置（３）に接続されそのＳＮＭＰマネージャー（８）が前記中央局（２）に配置されるか、あるいは、標準クライアント／サーバＨＴＴＰ接続として構成されそのインターネットクライアント（１０）が前記送信機（１）の前記遠隔制御装置（３）に割り当てられそのインターネットサーバ（１１）が中央局（２）に配置されている第２のフィードバック接続を介して接続され、
第１の接続の前記インターネットサーバ（５）及び／又は第２の接続の前記ＳＮＭＰエージェント（７）若しくは前記インターネットクライアント（１０）が、１つのユニットを形成するため前記送信機（１）の前記遠隔制御装置（３）と一体化され、
前記第２のフィードバック接続を介して、前記送信機（１）の操作機能が、前記送信機（１）から前記中央局（２）へ自動的にかつプロンプトなく送信されることを特徴とするシステム。
【請求項２】
請求項１において、前記送信機（１）のそれぞれの操作機能が、前記第１の接続（５、６）のインターネットサーバ（５）のウェブページにＸＭＬ規格に従って記憶され、前記インターネットブラウザ（６）によってＨＴＴＰプロトコルに従って問合せ及び表示可能であることを特徴とするシステム。
【請求項３】
請求項１又は２において、前記送信機（１）の操作機能が、さらにＳＮＭＰプロトコルを用いる前記第２の標準エージェント／マネージャー接続（７、８）を介して遠隔制御されうることを特徴とするシステム。
【請求項４】
前記請求項のいずれかにおいて、データが暗号化されて公共のネットワークを介して送信されることを特徴とするシステム。
【請求項５】
前記請求項のいずれかにおいて、ＷＡＰプロトコルを用いて無線でインターネットサーバ（５）からユーザのインターネットクライアントにデータが送信されることを特徴とするシステム。
【請求項６】
前記請求項のいずれかにおいて、第１の接続の前記インターネットブラウザ（６）が分散して用いられることを特徴とするシステム。
【請求項７】
前記請求項のいずれかにおいて、前記操作機能において干渉的な偏差が発生した場合のみ、前記送信機（１）の操作機能が前記第２のフィードバック接続を介して中央局（２）に送信されることを特徴とするシステム。
【発明の詳細な説明】
【０００１】
本発明は、主クレームの前提部に特定されたようなシステムに関する。
【０００２】
無線送信局を無人、すなわち送信機の所在地において操作人員なく操作すること、及び送信機の動作を持続的にモニタし、必要に応じて、中央局から遠隔制御することができる遠隔制御装置を送信機に設けることは知られている。多くの無線送信機は、このような公知のシステムを用いて、中央局から操作、遠隔制御及びメンテナンスすることができる（ＤＩＮ  ＩＥＣ８６４,１９８９年２月、「送信機又は送信システムと監視機器との相互接続の規格化」(”Zusammenschaltung von Rundfunksendern oder Sendersystemen mit Fernwirkeinrichtungen”)、第４ページ参照）。その場合、個々の無線送信機は、一般に中央局への専用回線を介して接続されている。上記の公知のシステムは比較的複雑で高価である。
【０００３】
したがって、本発明の目的は、実質的により簡単で、送信機と中央局との複雑な特別の接続が不要な無人無線送信機の操作のためのシステムを提供することである。
【０００４】
主クレームの前提部に特定されたようなシステムを前提として、前記目的は、その特徴的構成によって達成される。特にフィードバック・ネットワーク接続の構成に関する好適な展開がサブクレームに記載されている。
【０００５】
本発明では、非常に多様な実施形態で世界中で現在入手可能な、例えばいわゆるローカルエリアネットワーク（ＬＡＮ）又はワイドエリアネットワーク（ＷＡＮ）と呼ばれている公共又は私的ネットワークを用いて、個々の送信機と中央局との接続を行う。
【０００６】
送信機の操作機能を問合せるために、中央局では標準的なインターネットブラウザしか必要とせず、送信機には対応するサーバが必要なだけである。これにより、必要に応じて、ＨＴＴＰプロトコル（ハイパーテキストトランスファープロトコル）に従って送信機の所望の操作機能を問合せることができる。同時に、送信機の一定の操作機能は、自動的に、かつフィードバック・ネットワーク接続を介してプロンプトなく中央局に持続的に送信される。フィードバック・ネットワークはまた追加的に設けられ、例えばＳＮＭＰプロトコル（単純ネットワーク管理プロトコル）に従って動作するか、又はその目的のためにＨＴＴＰプロトコルを用いるさらなるクライアント／サーバリターン接続を有し、それにより、送信機における操作不能が、中央局において直ちに検出及び表示され、次いで、既存の遠隔制御接続（ＨＴＴＰ接続のブラウザ／サーバ又は、ＳＮＭＰ接続がフィードバック・ネットワーク接続として直ちに用いられる場合は、ＳＮＭＰ接続のブラウザ／サーバ）を介して直ちに排除することができる。ブラウザはまた、必要に応じて操作条件を問合せるために分散して用いてもよい。例えば、故障の場合に中央局から適宜報告を受ける移動中のメンテナンススタッフにそれを与えることにより行うことができる。
【０００７】
本発明によるシステムは、放送無線送信機及び移動無線送信機のいずれのいかなる所望の無線送信機にも適用することができ、問合せ及び遠隔制御すべき送信機の操作機能だけでなく、例えば、送信機システムに割り当てられ、送信機の遠隔制御装置を介して同様に問合せ及び遠隔制御することができる付随の測定器に対しても可能である。本発明のシステムはまた、このような無線送信機の場合と同様な要件が存在する他の遠隔制御可能装置に同様に適用することができる。
【０００８】
本発明は、２つの例示的な実施形態を参照して図面を用いて以下に詳細に説明する。
【０００９】
図１は、明確にするために１つの送信機１だけが図示されている本発明による無人送信機のための操作システムの基本回路図を示す。もちろん、送信機１’に示すように、多数のこのような送信機が本発明による原理によって同様に中央局２から遠隔制御されうる。送信機１は、それ自体公知の方法で遠隔制御装置３を介して遠隔制御されうる。すなわち、その操作機能及びそれに割り当てられた任意の測定機器４を遠隔制御装置３によって持続的にモニタし、必要に応じて、例えば、冒頭に述べた参考文献ＤＩＮ  ＩＥＣ８６４においてより詳細に説明されているように、前記遠隔制御装置３によって中央局２から遠隔制御されうる。遠隔制御装置３は、公共のネットワークＬＡＮ／ＷＡＮを介して中央局２に接続され、具体的には、遠隔制御装置３に接続されるサーバ５と中央局２に配置されるか又は分散して配置してもよいブラウザ６とを有するＨＴＴＰプロトコルを用いるネットワークを介して中央局２に接続される。
【００１０】
サーバ５は、１つのユニットを形成するため遠隔制御装置３と一体化され（埋め込まれ）ることが好ましい。
【００１１】
送信機１の操作条件は、詳細には図示されていないメモリに記憶され、ＸＭＬ規格によるウェブページとしてサーバ５を介して読み出され、さらに、ブラウザが適切なＨＴＴＰ問合せ命令をネットワークを介してサーバ５に送信すると、適切なネットワークインターフェースを介して公共のネットワークＬＡＮ／ＷＡＮに供給され、ＨＴＴＰプロトコルに従いブラウザ６に送信され、そこにおいて例えば画面上に表示される。
【００１２】
ＨＴＴＰシステムを用いるこの問合せ及び制御システムは、例えば「コメント要求」(”Request for Comments”)ＲＦＣ２０２６、ＲＦＣ２６１６に詳細に説明されている。同時に、例えばＲＦＣ１０８９及びＲＦＣ１０６７に詳細に説明されているように、遠隔制御装置３はまた、ＳＮＭＰプロトコルに従い、公共のネットワークＬＡＮ／ＷＡＮを介して中央局２に接続されている。
【００１３】
この目的のために、遠隔制御装置３には、サーバ５のように遠隔制御装置３と直接一体化されることがここでも好ましいＳＮＭＰエージェント７が割り当てられる。
【００１４】
前記ＳＮＭＰエージェント７は、中央局２に配置されたＳＮＭＰマネージャ８と公共のネットワークを介して通信している。
【００１５】
命令レパートリが「管理情報ベース」(“management information base”)に規定されている送信機１の操作機能は、この第２の持続的操作ＳＮＭＰ接続を介して中央局に持続的に送信され、したがって、送信機の機能は、中央局で持続的にモニタされうる。
【００１６】
中央局へ操作機能を持続的に送信する必要がなく、前記操作機能に問題となる偏差が送信機に発生する時だけで十分な場合もある。そして、その場合にはいわゆるＳＮＭＰトラップによって中央局にプロンプトなく送られる。遠隔制御装置３はまた、前記ＳＮＭＰプロトコルを用いて中央局からＳＮＭＰマネージャによって直接作用を受けることができ、それにより、送信機１の操作機能は遠隔制御されうる。
【００１７】
図２は、フィードバック・ネットワーク接続の構成の別の可能性を示している。サーバ５とブラウザ６を有するＨＴＴＰを介して、必要に応じて操作条件を問合せるためのシステムは、図１に示すものと同様である。
【００１８】
持続的なフィードバック用のＳＮＭＰシステムの代わりに、ここでもＨＴＴＰプロトコルを図２に記載のように用いる。この目的のため、遠隔制御装置３には、遠隔制御装置３と及びサーバ５と一体化していることがここでも好ましいフィードバック・クライアント１０が割り当てられ、フィードバック・クライアント１０は、ＬＡＮ／ＷＡＮネットワークを介して中央局のフィードバック・サーバ１１に接続されている。
【００１９】
例えば、送信機１の操作機能に故障が発生した場合、あるいは、ある間隔で定期的に故障が発生する可能性がある場合には、フィードバック・クライアント１０は、ＨＴＴＰプロトコルに従って、フィードバック・サーバ１１に付随するＩＰアドレス（認識番号）にダイアルし、次いで、送信機１のそれぞれの操作機能をフロンプトすることなく自動的及び独立的に送信する。
【００２０】
その操作機能は、遠隔制御装置３を介してフィードバック・クライアント１０、フィードバック・サーバ１１に与えられ、そこで評価され、例えば視覚的又は聴覚的なアラームを発し、これにより、中央局が、操作故障についてのより詳細な情報をブラウザ／サーバ６、５の接続を介して要求することができ、また、操作機能の異常又は故障を排除するために遠隔制御により操作機能に直接作用することができる。
【００２１】
公共のネットワークを介して送信されるプロトコルは、外部の干渉を防止するために公知の方法で暗号化してもよい。
【００２２】
ＨＴＴＰプロトコルを用いるサーバ／ブラウザ接続は公知のタイプである。この目的に適切であるのは、例えば、マイクロソフトによって提供されるインターネットエクスプローラ又はネットスケープによって提供されるナビゲータである。ＳＮＭＰシステムとして適切であるのは、例えば、ヒューレットパッカードによって提供されるシステムＨＰオープンヴュー、スペクトラムシステム又はＭＧソフトシステムである。
【００２３】
【図面の簡単な説明】
【図１】無人送信機のための本発明による操作システムの基本回路図
【図２】フィードバック・ネットワーク接続の構成の別の実施形態を示す図
【図１】
0004717323.tif 000002
【図２】
0004717323.tif 000003